(57)【要約】  表示装置は、比較的大きな部屋で使用されるため、大画面で表示されることが多い。一方、表示端末は小画面での表示となることが多い。よって、表示装置と表示端末で同一画像を表示した場合、表示端末では表示画像が小さくて細かい部分が判別できず、使い勝手が悪いという問題があった。  表示端末と表示装置による表示システムであって、前記表示装置はポインタによって表示した画像上に光学的に指し示した位置座標を検出し、前記表示装置は前記検出した位置座標に所定のポインタマークを表示し、前記表示端末は受信した位置座標を略中心に拡大表示し、前記位置座標に所定のポインタマークを表示することを特徴とする。
2014002241.tif 000002
【特許請求の範囲】
【請求項１】
第１の画像データを表示する表示端末と前記表示端末に連動して第２の画像データを表示する表示装置を含む表示システムであって、
前記第1の画像データの表示内容は、前記第２の画像データの表示内容の一部領域の内容をもち、
前記表示端末のポインタマークが、前記表示装置に表示されるポインタマークの第２の画像データの画像位置と同一の前記第１の画像データの画像位置に表示されることを特徴とする表示システム。
【請求項２】
請求項１に記載の表示システムであって、
前記表示装置に表示されるポインタマークの画像位置が移動したときに、前記表示端末の表示する第１の画像データが変わることを特徴とする表示システム。
【請求項３】
表示端末と表示装置による表示システムであって、
前記表示端末は、所定の画像データを表示し、
前記表示端末は、前記画像データを前記表示装置に送信し、
前記表示装置は、受信した画像データを表示し、
前記表示装置は、ポインタによって表示した画像上に指し示した位置座標を検出し、
前記表示装置は、前記検出した位置座標に対応する位置に所定のポインタマークを表示し、
前記表示装置は、前記検出した位置座標を前記表示端末に送信し、
前記表示端末は、前記位置座標に対応する位置に所定のポインタマークを表示する
ことを特徴とする表示システム。
【請求項４】
請求項３に記載の表示システムであって、
前記表示端末は、拡大表示することを特徴とする表示システム。
【請求項５】
請求項３または請求項４に記載の表示システムであって、
前記表示端末は、受信した位置座標を略中心に拡大表示することを特徴とする表示システム。
【請求項６】
請求項３乃至請求項５に記載の表示システムであって、
前記表示端末は、常に受信した位置座標が略中心になるように拡大表示することを特徴とする表示システム。
【請求項７】
請求項３乃至請求項５に記載の表示システムてあって、
前記表示端末は、受信した位置座標が、表示部で表示されている表示画像の領域外の場合、受信した位置座標が略中心になるように拡大表示することを特徴とする表示システム。
【請求項８】
請求項３乃至請求項５に記載の表示システムであって、
前記表示端末は、受信した位置座標が、表示部で表示されている表示画像の領域外の場合、所定のマークを表示することを特徴とする表示システム。
【請求項９】
請求項８に記載の表示システムにおいて、
前記表示端末は、所定の操作を行うことにより、受信した位置座標が略中心になるように拡大表示することを特徴とする表示システム。
【請求項１０】
制御部と表示部と通信部を備えた表示端末であって、
表示部に表示画像を表示し、
受信した位置座標に対応する位置に所定のポインタマークを表示することを特徴とする表示端末。
【請求項１１】
請求項１０に記載の表示端末であって、
表示画像を拡大表示することを特徴とする表示端末。
【請求項１２】
請求項１０または請求項１１に記載の表示端末であって、
受信した位置座標を略中心に拡大表示することを特徴とする表示端末。
【請求項１３】
請求項１０乃至請求項１１に記載の表示端末であって、
常に受信した位置座標が略中心になるように拡大表示することを特徴とする表示端末。
【請求項１４】
請求項１０乃至請求項１２に記載の表示端末であって、
受信した位置座標が、表示部で表示されている表示画像の領域外の場合、受信した位置座標が略中心になるように拡大表示することを特徴とする表示端末。
【請求項１５】
請求項１０乃至請求項１２に記載の表示端末であって、
受信した位置座標が、表示部で表示されている表示画像の領域外の場合、所定のマークを表示する表示端末。
【請求項１６】
請求項１５に記載の表示端末であって、
所定の操作を行うことにより、受信した位置座標が略中心になるように拡大表示することを特徴とする表示端末。
【請求項１７】
制御部と表示部と通信部とセンサ部を備えた表示装置であって、
表示部は、画像データを表示し、
センサ部は、ポインタによって表示した画像上に指し示した位置座標を検出し、
検出した位置座標を通信部より送信し、
上記位置座標に所定のポインタマークを表示することを特徴とする表示装置。
【請求項１８】
表示端末の表示方法であって、
表示部に表示画像を表示する工程と、
受信した位置座標に対応する位置に所定のポインタマークを表示する工程と、
受信した位置座標を略中心に拡大表示する工程を含むことを特徴とする表示端末の表示方法。
【請求項１９】
表示端末で実行可能な制御プログラムであって、
表示部に表示画像を表示し、
受信した位置座標に対応する位置に所定のポインタマークを表示し、
受信した位置座標を略中心に拡大表示することを特徴とする表示端末の制御プログラム。
【発明の詳細な説明】
【技術分野】
【０００１】
本発明は、複数の表示端末・表示装置の間で、映像表示を連携しておこなう表示システムに関する。
【背景技術】
【０００２】
近年、複数の表示装置や表示端末を連携して映像表示をおこなうシステム・装置が映像教育やプレゼンテーションの分野で普及している。この映像システムの技術のひとつに特許文献１がある。特許文献１では、講師端末上の講義資料上にポインタ図形を表示させ移動を可能にし、受講生端末上の講義資料上に、リアルタイムに講師端末の講義資料上のポインタ図形と同様な動作を再現することが開示されている。
【先行技術文献】
【特許文献】
【０００３】
【特許文献１】特開２００４−３２５８２号公報
【発明の概要】
【発明が解決しようとする課題】
【０００４】
ひとつのプロジェクタ等の大画面の表示装置と個々の視聴者に表示端末を配布して商品説明等をおこなうプレゼンテーションシステムがある。このようなプレゼンテーションシステムでは、表示装置と表示端末で同一画像を表示した場合、表示端末では表示画像が小さくて細かい部分が判別できない、という問題があった。【０００５】
また、表示端末に拡大表示機能が備えられていた場合でも、拡大すると、表示されるのは一部分となる。よって、拡大表示したときに、ユーザーが意図する部分が表示されるとは限らず、拡大表示した状態で意図する部分を探すのは手間がかかり、使い勝手が悪いという問題があった。
【課題を解決するための手段】
【０００６】
上記の課題を解決するために、本発明の表示システムは、第１の画像データを表示する表示端末と前記表示端末に連動して第２の画像データを表示する表示装置を含み、前記第1の画像データの表示内容は、前記第２の画像データの表示内容の一部領域の内容をもち、前記表示端末のポインタマークが、前記表示装置に表示されるポインタマークの第２の画像データの画像位置と同一の前記第１の画像データの画像位置に表示されるようにした。【０００７】
さらに、本発明の表示システムは、前記表示装置に表示されるポインタマークの画像位置が移動したときに、前記表示端末の表示する第１の画像データが変わるようにした。
【発明の効果】
【０００８】
本発明は、使い勝手のよい表示システムを提供することである。
【図面の簡単な説明】
【０００９】
【図１】表示システム全体の構成図の例である。
【図２】表示装置の構成図である。
【図３】表示端末の構成図である。
【図４】表示端末において、表示画像とポインタマークを表示した例を示す。
【図５】表示装置の動作を示すフローチャートである。
【図６】表示端末のメイン動作に関するフローチャートである。
【図７】データ選択モードの動作を示すフローチャートである。
【図８】データ表示モードの動作を示すフローチャートである。
【図９】ポインタ表示モードの動作を示すフローチャートである。
【図１０】表示端末と表示装置の表示画像の例を示した図である。
【図１１】実施例２におけるポインタ表示モードの動作をフローチャートである。
【図１２】実施例２における表示端末と表示装置の表示画像の例を示した図である。
【図１３】実施例３におけるポインタ表示モードの動作をフローチャートである。
【図１４】実施例３における表示端末と表示装置の表示画像の例を示した図である。
【図１５】実施例４における表示装置の動作を示すフローチャートである。
【図１６】実施例４における表示端末のメイン動作に関するフローチャートである。
【図１７】実施例４におけるポインタ送信モードの動作を示すフローチャートである。
【図１８】実施例４における表示端末と表示装置の表示画像の例を示した図である。
【図１９】実施例５における表示端末と表示装置の表示画像の例を示した図である。
【図２０】実施例６における表示端末と表示装置の表示画像の例を示した図である。
【図２１】実施例７における表示端末と表示装置の表示画像の例を示した図である。
【発明を実施するための形態】
【００１０】
以下、本発明の実施例を図面を用いて説明する。
【実施例１】
【００１１】
以下、本発明による表示システムの具体的な実施例を、図を用いて説明する。
図１は、本発明による表示システム全体の構成図の例である。表示システム４００は、ネットワーク３００に接続された表示端末１００Ａ・１００Ｂ・１００Ｃ、及び表示装置２００からなる。図１に示す表示システム４００においては、表示端末１００が３台、表示装置２００が１台の場合を示しているが、これに限定されるものではなく、それぞれは１台以上であればよい。【００１２】
本表示システム４００は、例えば会議や講義、発表会などに用いられるものである。表示装置２００は、例えばプロジェクタなどの投射型表示装置であり、スクリーン２５２に大画面で表示画像２５１を投射表示するものである。これにより、参加者が同時に閲覧することができる。また、表示端末１００は、表示部１０２を備えたものであり、該表示部１０２に表示画像１５１を表示する。これにより、使用者が個別に表示画像１５１を閲覧するものである。【００１３】
表示端末１００、表示装置２００は、それぞれネットワーク３００に無線接続されている。ネットワーク３００は、例えばＬＡＮ（Local Area Network）であり、ネットワーク３００との通信は、ＩＥＥＥ８０２．１１ａ／ｂ／ｎなどの無線ＬＡＮとなる。【００１４】
表示端末１００Ａは、表示システム４００のホストとして使用され、その他の表示端末１００Ｂ、１００Ｃはクライアントとして使用される。ホストである表示端末１００Ａは、選択した表示データを画像データに変換し、自身の表示部１０２Ａに表示画像１５１Ａとして表示するとともに、ネットワーク３００を介して表示装置２００に画像データを送信する。【００１５】
表示装置２００は、表示端末１００Ａよりネットワーク３００を介して受信した画像データを表示画像２５１として表示する。ポインタ２６０は、例えばレーザーポインタであって、レーザー光線をスクリーン上に照射し、表示画像２５１の任意の位置を光学的に指し示すものである。発表者は、表示画像２５１に内容を説明する際に、ポインタ２６０を使用する。表示装置２００はセンサ部（図示せず）を備えており、ポインタ２６０が指し示す位置（座標）を検出する機能を有する。ここで検出した座標を、以降ポインタ座標という。表示装置２００は、表示画像２５１に重ねて、ポインタ座標に対応する位置にポインタマーク２５０を表示することにより、ポインタ２６０が指し示す位置を強調して表示することができる。さらに、ネットワーク３００を介してポインタ座標を各表示端末１００Ａ・１００Ｂ・１００Ｃに送信する。【００１６】
上記の代わりに、表示装置２００がポインタマーカの生成機能をもち、表示画像２５１にポインタマーカの表示をおこなうとともに、各表示端末１００Ａ・１００Ｂ・１００Ｃにポインタ座標を送信するようにしてもよい。【００１７】
また、表示端末１００Ａは、クライアントである表示端末１００Ｂ、１００Ｃに表示データを送信する。表示端末１００Ｂ、１００Ｃにおいては、受信した表示データを画像データに変換し、自身の表示部１０２Ｂ、１０２Ｃに表示画像１５１Ｂ、１５１Ｃとして表示する。これにより、表示装置２００がスクリーン２５２に投射する表示画像２５１の内容を、表示端末の手元の表示部１０２Ｂ・１０２Ｃにて確認することができる。【００１８】
さらに、表示端末１００においては、表示装置２００よりポイント座標のデータを受信した場合、そのポインタ座標に対応する位置にポインタマーク１５０を表示画像１５１に重ねて表示する。これにより、ポインタ２６０が表示画像２５１上で指し示した位置を、手元の表示部１０２にて確認することができる。【００１９】
また、表示端末１００は、縮小表示ボタン１５２、全体表示ボタン１５３、拡大表示ボタン１５４を備えている。拡大表示ボタン１５４を選択すると、表示画像１５１は画像データを拡大したものとなる。画像データを拡大した状態で、拡大表示ボタン１５４を選択すると、さらに拡大したものとなるように、拡大表示ボタン１５４を選択する度に、表示画像１５１の拡大率が大きくなっていくようにしてもよい。画像データを拡大した状態で、全体表示ボタン１５３を選択することで、いつでも画像データ全体を表示することができる。また、縮小表示ボタン１５２を選択すると、表示画像１５１は画像データを縮小したものとなる。縮小表示ボタン１５２を選択すると、さらに縮小したものとなるように、縮小表示ボタン１５２を選択する度に、表示画像１５１の拡大率が小さくなっていくようにしてもよい。【００２０】
表示画像２５１は、例えば２００インチなどの大画面であるのに対して、表示端末１００の表示部１０２の画面サイズは１０インチなどの小画面である。よって、表示部１０２に画像データ全体を表示すると、小さくて詳細内容が分からない場合がある。このときは、拡大表示ボタン１５４を選択し拡大表示させることで詳細内容を確認することができる。しかし、拡大表示する場合は、表示部１０２に表示されるのは、画像データの一部となる。よって、拡大表示する際に、ユーザーの意図する部分が選択されて表示されるとは限らない。そこで、本発明の表示システムにおいては、ポインタマーク１５０が略中心なるように拡大表示するものである。以下に、各機器の構成、動作の詳細を説明する。【００２１】
図２は、表示装置２００の構成図である。表示装置２００は、制御部２０１、表示部２０２、センサ部２０３、メモリ２０４、操作部２０５、通信部２０６、接続部２０７、音声入力部２０８、音声出力部２０９からなり、それぞれは、システムバス２２０により相互接続されている。【００２２】
制御部２０１は、表示装置２００全体を制御する、例えばマイクロプロセッサユニットである。システムバス２２０は制御部２０１と表示装置２００内の各部との間でデータ送受信を行うためのデータ通信路である。表示部２０２は、例えば液晶プロジェクタなどであり、画像をスクリーン２５２に投射表示するものである。センサ部２０３は、例えばカメラなどであり、表示画像２５１を撮影し、制御部２０３にて、撮影した画像を画像処理することにより、ポインタ２６０が指し示した位置（座標）であるポインタ座標を検出するものである。【００２３】
メモリ２０４は、例えばフラッシュメモリのような書き換え可能なメモリである。メモリ２０４には、オペレーティングシステムや所定のアプリケーションプログラムなど、実施例の表示装置２００の基本動作プログラムなどが格納されている。メモリ２０４に格納されたプログラムを更新することにより、基本動作プログラムのバージョンアップや機能拡張が可能であるものとする。また、データなどを記録することもできる。【００２４】
操作部２０５は、ユーザーからの各種操作を受け付けるものであり、電源ボタンなどの各種操作ボタンからなる。通信部２０６は、ネットワーク３００と無線で接続するインターフェイスであり、上記したように無線ＬＡＮである。接続部２０７は、例えば表示端末１００など、他の機器と接続するインターフェイスであり、接続された他の機器とデータを送受信するものである。音声入力部２０８は、例えばマイクなどであり、音声信号を入力するものである。【００２５】
音声出力部２０９は、例えばスピーカなどであり、音声信号を出力するものである。通信部１０７より他の機器より受信した画像データをメモリ２０４に保存し、その画像データを制御部２０１において画像処理した後、表示部２０２より投射表示することにより、スクリーン２５２上に表示画像２５１が表示される。また、この時、音声信号を受信した場合は、制御部２０１にて音声処理され、音声出力部２０９より出力される。【００２６】
図３は表示端末１００の構成図である。表示端末１００は、制御部１０１、表示部１０２、メモリ１０３、操作部１０４、ストレージ１０５、カメラ１０６、通信部１０７、接続部１０８、音声入力部１０９、音声出力部１１０からなり、それぞれは、システムバス１２０により相互接続されている。【００２７】
制御部１０１は、表示端末１００全体を制御する、例えばマイクロプロセッサユニットである。システムバス１２０は制御部１０１と表示端末１００内の各部との間でデータ送受信を行うためのデータ通信路である。表示部１０２は、液晶や有機ＥＬなどの表示デバイスである。メモリ１０３は、例えばフラッシュメモリのような書き換え可能なメモリである。メモリ２０４には、オペレーティングシステムや所定のアプリケーションプログラムなど、実施例の表示装置２００の基本動作プログラムなどが格納されている。メモリ２０４に格納されたプログラムを更新することにより、基本動作プログラムのバージョンアップや機能拡張が可能であるものとする。また、データなどを記録することもできる。【００２８】
表示部１０２の表示面にはタッチパネルである操作部１０４を有する。操作部１０４は、指先、タッチペンなどでタッチすることで、その位置を検出し、制御部１０１に送るものである。例えば、操作コマンド一覧などのメニューを表示部１０２に表示させて、そこから、ユーザーが選択した操作コマンド部分を、タッチすると、その位置を検出することで、各種の操作コマンドを入力する。上記縮小表示ボタン１５２、全体表示ボタン１５３、拡大表示ボタン１５４は、表示部１０２にボタン形状を表示させ、そのボタン位置をタッチすることで、選択されるものである。【００２９】
ストレージ１０５は、メモリーカードなどの情報記憶媒体である。カメラ１０６は、静止画像、動画像を撮影するものであり、撮影した撮影データは、メモリ１０３あるいはストレージ１０５に保存される。通信部１０７は、ネットワーク３００と無線で接続するインターフェイスである。接続部１０８は、他の機器と接続するインターフェイスであり、接続された他の機器とデータを送受信するものである。音声入力部１０９は、例えばマイクなどであり、音声信号を入力するものである。音声出力部１１０は、例えばスピーカなどであり、音声信号を出力するものである。【００３０】
ホストとなる表示端末１００Ａは、メモリ１０３Ａあるいはストレージ１０５Ａに保存されているデータより選択した表示データを、通信部１０７Ａよりネットワーク３００を介して、クライアントとなる表示端末１００Ｂ、１００Ｃに送信する。また、表示データを制御部１０１Ａにて画像処理して画像データに変換し、自身の表示部１０２Ａに表示画像１５１Ａとして表示する。さらに、通信部１０７Ａよりネットワーク３００を介して表示装置２００に画像データ送信する。このとき、表示データ、画像データをメモリ１０３Ａに保存する。【００３１】
表示装置２００においては、通信部２０６にて受信した画像データをメモリ２０４に保存し、制御部２０１にて画像処理した後、スクリーン２５２に投射して表示画像２５１を表示する。また、クライアントとなる表示端末１００Ｂにおいては、通信部１０７Ｂにて受信した表示データを制御部１０１にて画像処理して画像データに変換し、表示部１０２Ｂに表示画像１５１Ｂとして表示する。このとき、表示データ、画像データはメモリ１０３Ｂに保存する。表示端末１００Ｃにおいても、表示端末１００Ｂと同様の動作をする。【００３２】
また、通信部１０７にて表示装置２００からポインタ座標を受信した場合は、その対応する位置にポインタマーク１５０を重ねて表示する。この状態で、縮小表示ボタン１５２、拡大表示ボタン１５４が選択された場合は、ポインタマーク１５０の位置を略中心に拡大率を変化させて表示する。なお、ポインタ座標を受信した時に、ポインタマーク１５０を表示すると同時に、自動でポインタマーク１５０を略中心に拡大して表示させるようにしてもよい。このように、自動で拡大表示するモードを以降自動拡大モードという。表示端末１００を自動拡大モードにするかは、表示部１０２にメニュー表示などしてユーザーがあらかじめ設定しておく。【００３３】
図４は表示端末１００において、表示部１０２に表示画像１５２とポインタマーク１５０を表示した表示例を示す。図４（ａ）は、画像データ全体（拡大率＝１）を表示した表示例、図４（ｂ）は、画像データをポインタマーク１５０の位置を略中心に拡大表示した表示例である。これは、制御部１０１にて、表示データを拡大処理し、そのうち表示部１０２に表示可能な大きさで、ポインタ座標が略中心に切り出す画像処理を行った画像データを作成する。【００３４】
表示端末１００は、その画像データを表示画像１５１として、表示部１０２に表示する。さらに、ポインタ座標に対応する位置にポインタマーク１５０を重ねて表示する。図４（ａ）の全体表示の状態で拡大表示ボタン１５４を選択すると、図４（ｂ）のように、ポインタマーク１５０を略中心に拡大表示するように動作する。また、表示端末１００が、自動拡大モードに設定されていた場合は、ポインタ座標を受信した時に、自動で図４（ｂ）のように、ポインタマーク１５０を略中心とした拡大した表示画像１５２となる。【００３５】
また、図４（ｃ）は、図４（ｂ）の拡大表示した状態で、拡大率を維持したまま水平方向にスクロールしたものである。もちろん、さらに水平方向、あるいは垂直方向、斜め方向にスクロールすることもできる。図４（ｂ）や図４（ｃ）の拡大表示した状態で全体表示ボタン１５３を選択すると、図４（ａ）の全体表示状態になる。【００３６】
図５は、表示装置２００の動作を示すフローチャートである。本処理は、電源ＯＮより開始するものとする。他の機器（ここでは、表示端末１００Ａ）より、ネットワーク３００を介して通信部２０６が画像データを受信したかを判定する（ステップＳ５０１）。画像データを受信できなかった場合は、後述するステップＳ５０４に進む。ステップＳ５０１にて画像データを受信できた場合は、その画像データをメモリ２０４に保存する（ステップＳ５０２）。【００３７】
その画像データを制御部２０１にて画像処理を行った後、表示部２０２にて表示画像２５１としてスクリーン２５１に投射表示する（ステップＳ５０３）。次に、センサ部２０３にて、ポインタ２６０がレーザーなどを照射して表示画像２５２上に指し示した位置（ポインタ座標）を検出する（ステップＳ５０４）。これは、例えばカメラなどで表示画像２５２を撮影する。その撮影した画像データをメモリ２０４に一時的に保存し、その画像データからポインタ２６０が出力するレーザーなどの特定の波長のみを抽出することで、ポインタ２６０が指し示した位置を検出できる。【００３８】
ポインタ位置を検出した場合は、そのポインタ座標を通信部２０６よりネットワーク３００を介して、各表示端末１００に送信する（ステップＳ５０５）。そして、ポインタ座標に対応する位置にポインタマーク２５０を表示画像２５２に重ねて表示する（ステップＳ５０６)。表示後は、ステップＳ５０１に戻り、本処理を繰り返す。また、ステップＳ５０４にて、ポインタ２６０の指し示す位置を検出できなかった場合も、ステップＳ５０１に戻り、本処理を繰り返す。【００３９】
図６は、表示端末１００のメイン動作に関するフローチャートである。電源ＯＮより開始するものとする。まず、データ選択モードかどうかを判定する（ステップＳ６０１）。これは、ホストとなる表示端末１００Ａにおいて、実行されるモードであり、ここで選択されたデータ（表示データという）が表示装置２００にて表示される表示画像２５１のデータとなる。データ選択モードである場合は、データ選択モードのフローを行う（ステップＳ６０２）。データ選択モードの詳細については、後述する。なお、ステップＳ６０1にて、データ選択モードでないと判定された場合は、データ選択モードのフローを行わずに、ステップＳ６０３に進む。【００４０】
次に、通信部１０７が他の機器から表示データを受信したかどうかを判定する（ステップＳ６０３）。表示データを受信した場合は、データ表示モードのフローを行う（ステップＳ６０４）。データ表示モードの詳細については、後述する。なお、ステップＳ６０３にて、表示データを受信していないと判定された場合は、データ表示モードのフローを行わずに、ステップＳ６０５に進む。【００４１】
次に、通信部１０７が表示装置からポインタ座標のデータを受信したかどうかを判定する（ステップＳ６０5）。ポインタ座標のデータを受信した場合は、ポインタ表示モードのフローを行い（ステップＳ６０６）、最初のステップＳ６０１に戻る。ポインタ表示モードの詳細については、後述する。なお、ステップＳ６０５にて、ポインタ座標のデータを受信していないと判定された場合は、ポインタ表示モードのフローを行わずに、ステップＳ６０１に戻る。【００４２】
以下、データ選択モード（ステップＳ６０２）、データ表示モード（ステップＳ６０４）、ポインタ表示モード（ステップＳ６０６）の詳細な動作について説明する。【００４３】
図７は、データ選択モードの動作を示すフローチャートである。本処理は、上記したようにホストとなる表示端末１００Ａにて実行される動作である。【００４４】
最初に、表示装置２００により投射表示を行うデータを選択する（ステップＳ６０１）。これは、メモリ１０３あるいはストレージ１０５に保存されているデータの一覧を表示部１０２に表示し（ステップＳ７０１）、そこから所望のデータ（表示データ）を選択する（ステップＳ７０２）。選択された表示データをメモリ１０３に保存する（ステップＳ７０３）。さらに、表示データを通信部１０７よりネットワーク３００を介して、他の表示端末１００に送信する（ステップＳ７０４）。【００４５】
次に、表示データを制御部１０１により画像処理し画像データに変換し（ステップＳ７０５）、画像データもメモリ１０３に保存する（ステップＳ７０６）。そして画像データを表示部１０２に表示するとともに（ステップＳ７０７）、通信部１０７よりネットワーク３００を介して表示装置２００に送信し（ステップＳ７０８）、図６のメイン動作のフローに戻る。【００４６】
上記ステップＳ７０４にて送信した表示データを受信した表示端末１００は、図６に示すように、ステップＳ６０３からステップＳ６０４に進み、後述するデータ表示モードになる。また、上記ステップＳ７０８にて送信した画像データを受信した表示装置２００は、図５に示すように、画像データをメモリ２０４に保存し（ステップＳ５０２）、表示画像２５１として投射表示する（ステップＳ５０３）。【００４７】
図８は、データ表示モードの動作を示すフローチャートである。本処理は、ホストとなる表示端末１００Ａが表示データを送信し（図７、ステップＳ７０４）、その表示データを受信したその他の表示端末１００Ｂ、１００Ｃが実行する処理である。【００４８】
ネットワーク３００を介して通信部１０７にて表示データを受信した表示端末１００は、制御部１０１にて画像処理し画像データに変換する（ステップＳ８０１）。変換した画像データはメモリ１０３に保存し（ステップＳ８０２）、表示部１０２に表示画像１５１として表示し（ステップＳ８０３）、図６のメイン動作のフローに戻る。【００４９】
図９は、ポインタ表示モードの動作を示すフローチャートである。本処理は、上記したように表示装置２００より送信されたポインタ座標のデータを受信したときに実行される動作である。【００５０】
ネットワーク３００を介してポインタ座標のデータを通信部１０７にて受信した場合は、そのポインタ座標のデータをメモリ１０３に保存する（ステップＳ９０１）。そして、表示端末１００が自動拡大モードに設定されているか判別する（ステップＳ９０２）。自動拡大モードに設定されている場合は、現在表示部１０２に表示されている表示画像１５１が拡大表示されている状態かを判別する（ステップＳ９０３）。【００５１】
ステップＳ９０２において拡大表示でないと判別された場合（例えば通常表示の場合）、制御部１０１にて表示データを画像処理して、拡大した画像データを作成し、表示部１０２に拡大した表示画像１５１を表示する（ステップＳ９０４）。このとき、ポインタ座標が略中心になるように拡大処理を行う。そしてポインタ座標の位置にポインタマーク１５０を重ねて表示し（ステップＳ９０５）、図６のメイン動作のフローに戻る。【００５２】
ステップＳ９０２にて、表示端末１００が自動拡大モードに設定されていないと判別された場合は、ステップＳ９０２からステップＳ９０５に進み、ポインタ座標の位置にポインタマーク１５０を重ねて表示し、図６のメイン動作のフローに戻る。【００５３】
ステップＳ９０３にて拡大表中されている状態であると判定された場合は、制御部１０１にて表示データより、現在の拡大率を維持して、ポインタ座標が略中心になるような画像データを作成し、表示部１０２に表示する（ステップＳ９０６）。そしてポインタ座標の位置にポインタマーク１５０を重ねて表示し（ステップＳ９０５）、図６のメイン動作のフローに戻る。【００５４】
図１０（ａ）に示すように、表示装置２００が表示画像２５１を投射表示し（図５、ステップＳ５０３）、ポインタ２６０で指し示した位置を検出して（図５、ステップＳ５０４）、その指し示した位置にポインタマーク２５０を表示画像２５１に重ねて表示する（図５、ステップＳ５０６）。この時の表示端末１００の表示例を図１０（ｂ）、（ｃ）に示す。図１０（ｂ）は表示端末１００が自動拡大モードに設定されている場合、図１０（ｃ）は自動拡大モードに設定されていない場合の表示例である。【００５５】
表示端末１００が自動拡大モードに設定されている場合は、図１０（ｂ）に示すように、ポインタ座標の位置を略中心に拡大表示した表示画像１５１を表示し（図９、ステップＳ９０４）、ポインタ座標の位置にポインタマーク１５０を重ねて表示している（図９、ステップＳ９０５）。【００５６】
表示端末１００が自動拡大モードに設定されていない場合は、図１０（ｃ）に示すように、ホストとなる表示端末１００Ａより受信した表示データを変換し（図８、ステップＳ８０１）、その変換した画像データを表示画像１５１として表示し（図８、ステップＳ８０３）、ポインタ座標の位置にポインタマーク１５０を重ねて表示している（図９、ステップＳ９０５）。【００５７】
図１０（ｄ）は、図１０（ａ）から、ポインタ２６０の指し示す位置が変更された場合の表示例である。図１０（ｄ）に示すように、変更後のポインタ２６０で指し示した位置にポインタマーク２５０を表示画像２５１に重ねて表示している。この時の表示端末１００の表示例を図１０（ｅ）、（ｆ）に示す。【００５８】
図１０（ｅ）は表示端末１００が自動拡大モードに設定されている場合、図１０（ｆ）は自動拡大モードに設定されていない場合の表示例である。表示端末１００が自動拡大モードに設定されている場合は、既に拡大表示されているので、図１０（ｅ）に示すように、拡大率を維持した状態で、ポインタ座標の位置を略中心になるように画像データを作成し表示する（図９、ステップＳ９０６）。さらに、ポインタ座標の位置にポインタマーク１５０を重ねて表示する（図９、ステップＳ９０５）。【００５９】
表示端末１００が自動拡大モードに設定されていない場合は、図１０（ｆ）に示すように、ポインタマーク１５０をポインタ座標の位置に変更して表示する（図９、ステップＳ９０５）。【００６０】
図１０（ｂ）、（ｅ）に示すような表示画像１５１が拡大表示されている状態で、全体表示ボタン１５３を選択すると、図１０（ｃ）、（ｆ）に示すように表示データの全体が表示された状態にすることができる。また、図１０（ｃ）、（ｆ）に示すような表示画像１５１が表示データの全体が表示された状態で、拡大表示ボタン１５４を選択すると、図１０（ｂ）、（ｅ）に示すように、ポインタ座標を中心に拡大された状態にすることができる。【００６１】
以上により、表示装置２００が投射表示する表示画像２５１にポインタマーク２５０を重ねて表示することで、ポインタ２６０で指し示した位置を強調して示すことがでる。さらに、その位置（ポインタ座標）を表示端末１００に送信し、表示端末１００の表示画面１５１上においてもポインタマーク１５０を表示するので、表示端末１００においても、ポインタ２６０が指し示している位置を確認することができる。【００６２】
また、表示画像２５１に比べて小さな画面の表示端末１００においては、表示データを部分的に拡大処理して表示することができるため、表示内容の細かい部分まで確認することが可能となる。さらには、ポインタ座標位置を略中心に拡大表示するため、表示端末１００のユーザーが意図する部分が常に表示部１０２に表示されるため、面倒な操作をすることなく、表示内容の細かい部分を確認することが可能となる。
【実施例２】
【００６３】
次に、本発明の実施例２における表示システム４００について説明する。表示端末１００、表示装置２００などのハードウェア構成については、実施例１と同じであるため説明は省略する。また、表示端末１００、表示装置２００の動作において、実施例１との相違する点は、表示端末１００のポインタ表示モードの動作である。したがって、本実施例においては、表示端末１００のポインタ表示モードについて説明する。【００６４】
図１１は、ポインタ表示モードの動作をフローチャートである。本処理は、表示装置２００より送信されたポインタ座標のデータを受信したときに実行される動作である。【００６５】
ネットワーク３００を介してポインタ座標のデータを通信部１０７にて受信した場合は、そのポインタ座標のデータをメモリ１０３に保存する（ステップＳ１１０１）。そして、表示端末１００が自動拡大モードに設定されているか判別する（ステップＳ１１０２）。自動拡大モードに設定されている場合は、現在表示部１０２に表示されている表示画像１５１が拡大表示されている状態かを判別する（ステップＳ１１０３）。【００６６】
ステップＳ１１０３において拡大表示と判別された場合（例えば通常表示の場合）、制御部１０１にて表示データを画像処理して、拡大した画像データを作成し、表示部１０２に拡大した表示画像１５１を表示する（ステップＳ１１０４）。このとき、ポインタ座標が略中心になるように拡大処理を行う。そしてポインタ座標の位置にポインタマーク１５０を重ねて表示し（ステップＳ１１０５）、メイン動作のフローに戻る。【００６７】
ステップＳ１１０２にて、自動拡大モードに設定されていないと判別されたときは、ポインタ座標の位置にポインタマーク１５０を重ねて表示し（ステップＳ１１０５）、メイン動作のフローに戻る。【００６８】
ステップＳ１１０３にて、拡大表示されている状態であると判別された場合は、受信したポインタ座標が現在表示している表示画像１５１の表示領域に入っているかを判別する（ステップ１１０６）。ポインタ座標が表示領域に入っていると判別された場合は、表示画像１５１は変更せずに、ポインタ座標の位置にポインタマーク１５０を重ねて表示し（ステップＳ１１０５）、メイン動作のフローに戻る。【００６９】
ステップＳ１１０６にて、ポインタ座標が表示領域に入っていないと判別された場合は、制御部１０１にて表示データより、現在の拡大率を維持して、ポインタ座標が略中心になるような画像データを再作成し、表示部１０２に表示する（ステップＳ１１０７）。そしてポインタ座標の位置にポインタマーク１５０を重ねて表示し（ステップＳ１１０５）、メイン動作のフローに戻る。【００７０】
図１２は、表示端末１００と表示装置２００の表示画像１５１、２５１の例を示した図である。図１２（ａ）は表示装置２００の表示例であり、実施例１の図１０（ａ）と同様であるため説明は省略する。この時の表示端末１００の表示例を図１２（ｂ）に示す。図１２（ｂ）は実施例１の表示端末１００と同様にポインタ座標の位置を略中心に拡大表示した表示画像１５１を表示し（図１１、ステップＳ１１０４）、ポインタ座標の位置にポインタマーク１５０を重ねて表示している（図１１、ステップＳ１１０５）。【００７１】
図１２（ｃ）は、図１２（ａ）から、ポインタ２６０の指し示す位置が変更された場合の表示例である。図１２（ｃ）に示すように、変更後のポインタ２６０で指し示した位置にポインタマーク２５０を表示画像２５１に重ねて表示している。このように、ポインタ座標の変更量が小さく、変更後のポインタ座標が現在表示中の表示画像１５１（図１２（ｂ））の表示領域に入っている場合は、図１２（ｄ）に示すように、表示画像１５１は変更せずに、変更後のポインタ座標の位置にポインタマーク１５０を重ねて表示している（図１１、ステップＳ１１０６−ステップＳ１１０５）。【００７２】
図１２（ｅ）は、図１２（ｃ）から、さらにポインタ２６０の指し示す位置が変更された場合の表示例である。図１２（ｅ）に示すように、変更後のポインタ２６０で指し示した位置にポインタマーク２５０を表示画像２５１に重ねて表示している。このように、ポインタ座標の変更量が大きく、変更後のポインタ座標が現在表示中の表示画像１５１（図１２（ｂ））の表示領域に入っていない場合は、図１２（ｆ）に示すように、ポインタ座標が略中心になるような画像データを再作成して表示画像１５１とし（図１１、ステップＳ１１０７）、ポインタ座標の位置にポインタマーク１５０を重ねて表示している（図１１、ステップＳ１１０５）。【００７３】
以上、実施例２においては、実施例１と同等の効果を得ることができる。さらに、表示端末においては、拡大表示時にポインタ座標が表示領域内の場合は、表示画像１５１が変わらないため、表示画像１５１が変化する頻度を低くすることができるため、表示データの内容の確認しやすさが向上する効果を得ることができる。
【実施例３】
【００７４】
次に、本発明の実施例３における表示システム４００について説明する。表示端末１００、表示装置２００などのハードウェア構成については、実施例１、２と同じであるため説明は省略する。また、表示端末１００、表示装置２００の動作において、実施例１、２との相違する点は、表示端末１００のポインタ表示モードの動作である。したがって、本実施例においては、表示端末１００のポインタ表示モードについて説明する。【００７５】
図１３は、ポインタ表示モードの動作をフローチャートである。本処理は、表示装置２００より送信されたポインタ座標のデータを受信したときに実行される動作である。【００７６】
ネットワーク３００を介してポインタ座標のデータを通信部１０７にて受信した場合は、そのポインタ座標のデータをメモリ１０３に保存する（ステップＳ１３０１）。そして、表示端末１００が自動拡大モードに設定されているか判別する（ステップＳ１３０２）。自動拡大モードに設定されている場合は、現在表示部１０２に表示されている表示画像１５１が拡大表示されている状態かを判別する（ステップＳ１３０３）。【００７７】
ステップＳ１３０３において拡大表示と判別された場合（例えば通常表示の場合）、制御部１０１にて表示データを画像処理して、拡大した画像データを作成し、表示部１０２に拡大した表示画像１５１を表示する（ステップＳ１３０４）。このとき、ポインタ座標が略中心になるように拡大処理を行う。そしてポインタ座標の位置にポインタマーク１５０を重ねて表示し（ステップＳ１３０５）、メイン動作のフローに戻る。【００７８】
ステップＳ１３０２にて、自動拡大モードに設定されていないと判別されたときは、ポインタ座標の位置にポインタマーク１５０を重ねて表示し（ステップＳ１３０５）、メイン動作のフローに戻る。【００７９】
ステップＳ１３０３にて、拡大表示されている状態であると判別された場合は、受信したポインタ座標が現在表示している表示画像１５１の表示領域に入っているかを判別する（ステップ１３０６）。ポインタ座標が表示領域に入っていると判別された場合は、表示画像１５１は変更せずに、ポインタ座標の位置にポインタマーク１５０を重ねて表示し（ステップＳ１３０５）、メイン動作のフローに戻る。【００８０】
ステップＳ１３０６にて、ポインタ座標が表示領域に入っていないと判別された場合は、領域外であることを示す領域外マークを表示画像に重ねて表示する（ステップＳ１３０７）。次に領域外マークが選択されたかを判別する（ステップＳ１３０８）。領域外マークが選択されたと判別された場合は、制御部１０１にて表示データより、現在の拡大率を維持して、ポインタ座標が略中心になるような画像データを再作成し、表示部１０２に表示する（ステップＳ１３０９）。そしてポインタ座標の位置にポインタマーク１５０を重ねて表示し（ステップＳ１３０５）、メイン動作のフローに戻る。【００８１】
ステップ１３０８にて、領域外マークが選択されなかった場合は、ポインタマーク１５０を消去し（ステップＳ１３１０）、メイン動作のフローに戻る。【００８２】
図１４は、表示端末１００と表示装置２００の表示画像１５１、２５１の例を示した図である。図１４（ａ）は表示装置２００の表示例であり、実施例１の図１０（ａ）と同様であるため説明は省略する。この時の表示端末１００の表示例を図１４（ｂ）に示す。図１４（ｂ）は実施例１の表示端末１００と同様にポインタ座標の位置を略中心に拡大表示した表示画像１５１を表示し（図１３、ステップＳ１３０４）、ポインタ座標の位置にポインタマーク１５０を重ねて表示している（図１３、ステップＳ１３０５）。【００８３】
図１４（ｃ）は、図１４（ａ）から、ポインタ２６０の指し示す位置が変更された場合の表示例である。図１４（ｃ）に示すように、実施例２の図１２（ｃ）と同様であるため説明は省略する。このように、ポインタ座標の変更量が小さく、変更後のポインタ座標が現在表示中の表示画像１５１（図１４（ｂ））の表示領域に入っている場合は、図１４（ｄ）に示すように、表示画像１５１は変更せずに、変更後のポインタ座標の位置にポインタマーク１５０を重ねて表示している（図１３、ステップＳ１３０６−ステップＳ１３０５）。【００８４】
図１４（ｅ）は、図１４（ｃ）から、さらにポインタ２６０の指し示す位置が変更された場合の表示例である。図１４（ｅ）に示すように、実施例２の図１２（ｅ）と同様であるため説明は省略する。このように、ポインタ座標の変更量が大きく、変更後のポインタ座標が現在表示中の表示画像１５１（図１４（ｂ））の表示領域に入っていない場合は、図１４（ｆ）に示すように、表示画像１５１は変更せずに、領域外マーク１５５を表示し（図１３、ステップ１３０７）、ポインタマーク１５０を消去する（図１３、ステップＳ１３０９）。【００８５】
この状態で、領域外マーク１５５を選択すると、ポインタ座標が略中心になるような画像データを再作成して表示画像１５１とし（図１３、ステップＳ１３１０）、ポインタ座標の位置にポインタマーク１５０を重ねて表示している（図１３、ステップＳ１３０５）。【００８６】
以上、実施例３においては、実施例１、実施例２と同等の効果を得ることができる。さらに、表示端末においては、拡大表示時にポインタ座標が表示領域内の場合は、表示画像１５１が変わらない。【００８７】
また、ポインタ座標が表示領域外になっても、ユーザーが領域外マーク１５５を選択しない限り、表示画像１５１が変更されない。よって、表示画像１５１が変更されるのは、ユーザーの意図するタイミングであるため、表示データの内容の確認しやすさが向上する効果を得ることができる。【００８８】
また、領域外マーク１５５を選択するだけで、ポインタ座標１５０を略中心とした表示画像１５１に変更されるため、使い勝手が実施例１や実施例に２に対して劣ることはない。
【実施例４】
【００８９】
次に、本発明の実施例４における表示システム４００について説明する。表示端末１００、表示装置２００などのハードウェア構成については、実施例１乃至実施例３と同じであるため説明は省略する。【００９０】
図１５は、表示装置２００の動作を示すフローチャートである。本処理は、電源ＯＮより開始するものとする。他の機器（ここでは、表示端末１００Ａ）より、ネットワーク３００を介して通信部２０６が画像データを受信したかを判定する（ステップＳ１５０１）。画像データを受信できなかった場合は、後述するステップＳ１５０４に進む。ステップＳ１５０１にて画像データを受信できた場合は、その画像データをメモリ２０４に保存する（ステップＳ１５０２）。その画像データを制御部２０１にて画像処理を行った後、表示部２０２にて表示画像２５１としてスクリーン２５１に投射表示する（ステップＳ１５０３）。【００９１】
次に、センサ部２０３にて、ポインタ２６０がレーザーなどを照射して表示画像２５２上に指し示した位置（ポインタ座標）を検出する（ステップＳ１５０４）。ポインタ位置を検出した場合は、そのポインタ座標を通信部２０６よりネットワーク３００を介して、各表示端末１００に送信する（ステップＳ１５０５）。そして、ポインタ座標に対応する位置にポインタマーク２５０を表示画像２５２に重ねて表示する（ステップＳ１５０６)。表示後は、ステップＳ１５０１に戻り、本処理を繰り返す。ここまでは、実施例１と同じ動作である。【００９２】
ステップＳ１５０４にて、ポインタ２６０の指し示す位置を検出できなかった場合は、ポインタ座標のデータが表示端末１００より受信したかを判別する。ポインタ座標を受信した場合は、ポインタ座標に対応する位置にポインタマーク２５０を表示画像２５２に重ねて表示し、（ステップＳ１５０６)、ステップＳ１５０１に戻り、本処理を繰り返す。また、ステップＳ１５０７にてポインタ座標を受信できなかったと判別された場合は、ステップＳ１５０１に戻り、本処理を繰り返す。【００９３】
図１６は、表示端末１００のメイン動作に関するフローチャートである。電源ＯＮより開始するものとする。まず、データ選択モードかどうかを判定する（ステップＳ１６０１）。データ選択モードである場合は、データ選択モードのフローを行う（ステップＳ１６０２）。ステップＳ１６０1にて、データ選択モードでないと判定された場合は、ステップＳ１６０３に進む。【００９４】
次に、通信部１０７が他の機器から表示データを受信したかどうかを判定する（ステップＳ１６０３）。表示データを受信した場合は、データ表示モードのフローを行う（ステップＳ１６０４）。ステップＳ１６０３にて、表示データを受信していないと判定された場合は、ステップＳ１６０５に進む。【００９５】
次に、通信部１０７が他の機器からポインタ座標のデータを受信したかどうかを判定する（ステップＳ１６０５）。ポインタ座標のデータを受信した場合は、ポインタ表示モードのフローを行う（ステップＳ１６０６）。ステップＳ１６０５にて、ポインタ座標のデータを受信していないと判定された場合は、ステップＳ１６０７１に進む。上記データ選択モード、データ表示モード、ポインタ表示モードの動作については、実施例１、実施例２、あるいは実施例３と同じであるため、詳細な説明は省略する。【００９６】
次に、表示端末１００が、ポインタ送信モードになっているかを判別する（ステップＳ１６０７）。これは、表示部１０２にポインタ送信モードボタン１５６を表示し、それを選択するとポインタ送信モードになる。ポインタ送信モードであると判別された場合は、ポインタ送信モードののフローを行い（ステップＳ１６０８）、最初のステップＳ１６０１に戻る。【００９７】
以下、ポインタ送信モード（ステップＳ１６０８）の詳細な動作について説明する。
図１７は、ポインタ送信モードの動作を示すフローチャートである。【００９８】
最初に、操作部１０４よりタッチペン１６０による選択が検出できたかを判別する（ステップＳ１７０１）。検出できなかった場合は、ステップＳ１７０１を繰り返す。タッチペン１６０の選択が検出できた場合は、制御部１０１にて、タッチペン１６０が選択した位置座標を算出する（ステップＳ１７０２）。タッチペン１６０が選択した位置座標と、表示画像１５１の拡大率、表示領域等から、画像データ上での位置座標であるポインタ座標を算出し（ステップＳ１７０３）、メモリ１０３に保存する（ステップＳ１７０４）。【００９９】
そして、表示画像１５１上のポインタ座標の位置にポインタマーク１５０を重ねて表示する（ステップＳ１７０５）。次に、ポインタ座標のデータを通信部１０７より他の機器に送信し（ステップＳ１７０６）、図１６のメイン動作のフローに戻る。【０１００】
図１８は、表示端末１００と表示装置２００の表示画像１５１、２５１の例を示した図である。図１８（ａ）に示すように、表示部１０２の所定位置にポインタ送信モードボタン１５６を表示し、ポインタ送信モードボタン１５６を選択したときに、表示端末１００は図１７のポインタ送信モードの動作を行う。以下に詳細を説明する。【０１０１】
図１８（ａ）に示すように、表示部１０２の任意の位置をタッチペン１６０で選択すると（図１７、ステップＳ１７０１）、その位置を操作部１０４が検出し、表示画面１５１上での位置座標を算出する（ステップＳ１７０２）。このとき、表示画面１５１が拡大表示されている場合は、その表示画面１５１の拡大率、表示位置より、表示データ上での位置座標であるポインタ座標を算出し（図１７、ステップＳ１７０３）、そのポインタ座標位置にポインタマーク１５０を表示している（図１７、ステップＳ１７０５）。【０１０２】
図１８（ｂ）は表示装置２００が投射表示している表示画像２５１の表示例である。表示端末１００より受信したポインタ座標位置に、ポインタマーク２５０を表示画像２５１に重ねて表示している（図１５、Ｓ１５０６）。図１８（ｃ）（ｄ）は、図１８（ａ）のタッチペン１６０で選択した表示端末１００以外の表示端末１００の表示例である。図１８(ｃ)は表示画像１５１が全体表示の場合にポインタマーク１５０を表示した例、図１８（ｄ）は表示画像１５１が拡大表示の場合にポインタマーク１５０を表示した例である。【０１０３】
図に示すように、表示装置２００より送信されたポインタ座標によるポインタマーク１５０、２５０と形状を異ならせると、表示されているポインタマーク１５０、２５０が、表示装置２００より送信されたポインタ座標によるものか表示装置１００より送信されたポインタ座標によるものかを区別することができる。また、表示端末１００ごとにポインタマーク１５０、２５０の形状を異ならせてもよい。このときは、どの表示端末１００よ送信されたポインタ座標であるかを区別できる。【０１０４】
以上、実施例４においては、実施例１乃至実施例３と同等の効果を得ることができる。さらに、１台の表示端末１００においては、タッチペン１６０で指し示した位置が、表示装置２００や他の表示端末１００において確認できるため、さらに使い勝手の良い表示システムが実現できる。
【実施例５】
【０１０５】
次に、本発明の実施例５における表示システム４００について説明する。表示端末１００、表示装置２００などのハードウェア構成については、実施例１乃至実施例４と同じであるため説明は省略する。【０１０６】
図１９は、表示端末１００と表示装置２００の表示画像１５１、２５１の例を示した図である。図１９（ａ）に示すように、表示装置２００が投射表示している表示画像２５１上を、ポインタ２６０で指し示しながら移動させた場合、ポインタマーク２５０を表示するとともに、ポインタマーク軌跡２５７を合わせて表示させたものである。これは、現在のポインタ座標と前回のポインタ座標を線分で結ぶことでポインタマーク軌跡２５７を表示することができる。【０１０７】
この時の表示端末１００における表示画像１５１の表示例を図１９（ｂ）（ｃ）に示す。図１９（ｂ）は表示画像１５１が全体表示の場合であり、図１９（ｃ）は表示画像１５１が拡大表示の場合である。表示端末１００においても表示装置２００と同様に、ポインタマーク１５０を表示するとともに、ポインタマーク軌跡１５７を合わせて表示させている。ポインタマーク軌跡１５７は、現在のポインタ座標と前回のポインタ座標を線分で結ぶことで表示している。【０１０８】
表示端末１００が自動拡大モードに設定されている場合は、図１９（ｃ）に示すように、ポインタマーク軌跡１５７の略中心が表示画像の中心になるように拡大表示するように制御する。なお、図示していないがポインタマーク１５０の位置を略中心になるように拡大表示させてもよい。【０１０９】
また、上記の説明においては、ポインタマーク軌跡１５７を表示端末１００において作成しているが、これに限定されるものではなく、表示装置２００において、ポインタマーク軌跡２５７のデータを作成し、そのデータを表示端末１００に送信し、そのポインタマーク軌跡データによって、ポインタマーク軌跡１５７を表示させてもよい。【０１１０】
以上、実施例５においては、実施例１乃至実施例４と同等の効果を得ることができる。さらに、ポインタ２６０の指し示した位置の軌跡が表示装置や全ての表示端末にて確認できるため、さらに使い勝手の良い表示システムが実現できる。
【実施例６】
【０１１１】
次に、本発明の実施例６における表示システム４００について説明する。表示端末１００、表示装置２００などのハードウェア構成については、実施例１乃至実施例５と同じであるため説明は省略する。【０１１２】
図２０は、表示端末１００と表示装置２００の表示画像１５１、２５１の例を示した図である。図２０（ａ）に示すように、表示端末１００の表示画像１５１上を、タッチペン１６０で選択しながら移動させた場合、ポインタマーク１５０を表示するとともに、ポインタマーク軌跡１５７を合わせて表示させたものである。【０１１３】
これは、実施例５と同様に、現在のポインタ座標と前回のポインタ座標を線分で結ぶことでポインタマーク軌跡１５７を表示することができる。この時の表示装置２００における表示画像２５１の表示例を図２０（ｂ）に示す。【０１１４】
図に示すように、表示装置２００が投射表示している表示画像２５１上においても、ポインタマーク２５０を表示するとともに、ポインタマーク軌跡２５７を合わせて表示させたものである。ポインタマーク軌跡２５７も同様に、現在のポインタ座標と前回のポインタ座標を線分で結ぶことで表示することができる。【０１１５】
他の表示端末１００における表示画像１５１の表示例を図２０（ｃ）（ｄ）（ｅ）に示す。全ても表示端末１００において、ポインタマーク１５０を表示するとともに、ポインタマーク軌跡１５７を合わせて表示させている。図２０（ｃ）は、表示画像１５１が全体表示の場合であり、図２０（ｄ）（ｅ）は、表示画像１５１が拡大表示の場合である。図２０（ｄ）に示すように、タッチペン１６０で操作した表示端末１００（図２０（ａ））と同じ表示領域で表示させている。【０１１６】
これは、表示端末１００において、ポインタ座標のデータを送信する際に、拡大率や表示位置のデータも合わせて他の機器に送信することで実現できる。前記データを受信した表示装置１００は、受信した拡大率や表示位置のデータにより表示画像１５１を決定すればよい。【０１１７】
また、図２０（ｅ）に示すように、ポインタマーク軌跡１５７の略中心が表示画像の中心になるように拡大表示するようにしてもよい。なお、図示していないがポインタマーク１５０の位置を略中心になるように拡大表示させてもよい。【０１１８】
また、上記の説明においては、ポインタマーク軌跡２５７を表示装置２００において作成しているが、これに限定されるものではなく、タッチペン１６０で操作している表示端末１００において、ポインタマーク軌跡１５７のデータを作成し、そのデータを表示装置２００に送信し、そのポインタマーク軌跡データによって、ポインタマーク軌跡２５７を表示させてもよい。【０１１９】
同様に、タッチペン１６０で操作している表示端末１００以外の表示端末１００においても、ポインタマーク軌跡データを受信して、ポインタマーク軌跡１５７を表示させてもよい。【０１２０】
また、実施例４と同様に、表示装置２００より送信されたポインタ座標によるポインタマーク１５０、２５０と形状を異ならせると、表示されているポインタマーク１５０、２５０が、表示装置２００より送信されたポインタ座標によるものか表示装置１００より送信されたポインタ座標によるものかを区別することができる。【０１２１】
さらに、実施例４と同様に、表示端末１００ごとにポインタマーク１５０、２５０の形状を異ならせてもよい。このときは、どの表示端末１００よ送信されたポインタ座標であるかを区別できる。【０１２２】
以上、実施例６においては、実施例１乃至実施例５と同等の効果を得ることができる。さらに、タッチペン１６０の操作した軌跡が表示装置や全ての表示端末にて確認できるため、さたに使い勝手の良い表示システムが実現できる。
【実施例７】
【０１２３】
次に、本発明の実施例７における表示システム４００について説明する。表示端末１００、表示装置２００などのハードウェア構成については、実施例１乃至実施例５と同じであるため説明は省略する。【０１２４】
図２１は、表示端末１００と表示装置２００の表示画像１５１、２５１の例を示した図である。図２１（ａ）に示すように、表示装置２００の表示画像２５１が拡大表示されている。これは、表示装置２００の操作部２０５によりユーザーが操作し、制御部２０１が画像データを拡大処理し、表示部２０２より投射表示したものである。【０１２５】
このとき、表示装置２００は、表示端末１００に拡大率や表示位置のデータを通信部２０６より送信する。この時の表示端末１００は、図２１（ｂ）に示すように、表示画像２５１と同じように拡大表示された表示画像１５１が表示されている。これは、制御部１０１において、表示データおよび前記表示装置２００より受信した拡大率や表示位置のデータを用いて、表示画像２５１とほぼ同じ表示画像１５１となるように、拡大処理した画像データを作成し、表示部１０２に表示画像１５１として表示させている。【０１２６】
また、図２１（ｃ）に示すように、拡大表示している表示画像２５１上にポインタ２６０で指し示した場合においても、同様にポインタマーク２５０を表示するようにしている。このとき、表示端末１００においての、図２１（ｄ）に示すように、ポインタマーク１５０が表示される。【０１２７】
以上のように、表示端末１００、表示装置２００において、拡大率や表示位置のデータを送受信して共有することで、表示装置２００において表示画像２５１を拡大表示した場合においても対応が可能となる。【０１２８】
なお、上記の説明においては、表示装置２００の操作部２０５にて操作することにより、表示画像２５１が拡大表示されているが、これに限定されるものではない。例えば、表示端末１００から拡大表示命令を表示装置２００に送信して、表示画像２５１を拡大表示してもよい。【０１２９】
以上、実施例７においては、実施例１乃至実施例６と同等の効果を得ることができる。さらに、表示装置２００において、表示画像２５１を拡大表示した場合、表示端末１００でも同様に拡大表示されるため、さらに使い勝手の良い表示システムが実現できる。【０１３０】
なお、上記実施例１乃至実施例７の表示システム４００においては、ネットワーク３００との通信を無線ＬＡＮの場合で説明したが、これに限定されるものではない。例えば、図示しない基地局を介して、Ｗ−ＣＤＡＭ（Wideband Code Division Multiple Access）やＧＳＭ（登録商標）（Global System for Mobile Communications）などの通信方式によるの通信を行ってもよい。【０１３１】
この場合は、基地局との通信可能範囲であれば、遠隔地においても、表示装置２００が使用されている会議などに参加することができる。このときは、表示装置２００の音声入力部２０８から入力される音声信号を、各表示端末１００に送信し、表示端末１００の音声出力部１１０から出力するとよい。もちろん、Ｂｌｕｅｔｏｏｔｈ（登録商標）や、有線ＬＡＮによる通信でもよい。【０１３２】
また、ホストとなる表示端末１００Ａと表示装置２００は、ネットワーク３００を介して画像データを送受信しているが、これに限定されるものではない。例えば、表示端末１００Ａの接続部１０８Ａと、表示装置２００の接続部２０７を接続ケーブル（図示せず）で接続し、接続ケーブルを介して画像データを送受信してもよい。【０１３３】
また、上記接続ケーブルで優先接続する場合は、通信部２０６がなくてもよい。このときは、接続ケーブルを介してポインタ座標のデータを表示端末１００Ａに送信し、表示端末１００Ａが、他の表示端末１００Ｂ、１００Ｃにポインタ座標のデータを送信すればよい。【０１３４】
また、上記説明においては、ポインタ２６０の指し示している位置を検出するセンサ部を表示装置２００に備えているが、これに限定されるものではなく、表示装置２００とは別に設けてもよい。【０１３５】
また、上記説明においては、表示装置２００の表示部２０２はプロジェクタであるが、これに限定されるものではなく、例えば、液晶パネルやプラズマディスプレイパネル、有機ＥＬなどでもよい。【０１３６】
また、上記説明においては、ポインタ２６０はレーザーポインタのように、離れた位置から光学的に照射して任意の位置を指し示しているが、これに限定されるものではなく、例えば指し棒やタッチペンなどでもよい。【０１３７】
また、上記説明においては、センサ部２０３は、カメラなどのように表示画像を撮影し、ポインタ座標を検出しているが、これに限定されるものではない。例えばポインタ２６０が超音波や赤外線などの信号を出力し、それを複数個所で受信し、センサ部とポインタ２６０の距離を算出することによって、ポインタ２６０が指し示した位置を検出してもよい。【０１３８】
また、センサ部２０３は、タッチパネルなど表示画像２５１上への直接の接触を検出するものでもよい。【０１３９】
また、上記の各構成、機能、処理部、処理手段等は、それらの一部または全部を、例えば集積回路で設計する等によりハードウェアで実現しても良い。また、上記の各構成、機能等は、マイクロプロセッサユニットがそれぞれの機能を実現するプログラムを解釈し、実行することによりソフトウェアで実現しても良い。各機能を実現するプログラムは、予めメモリやストレージ等に格納されていても良いし、外部アプリケーションサーバからダウンロードすることによりメモリやストレージ等に後から格納しても良い。
【符号の説明】
【０１４０】
１００…表示端末、１０２…表示部、１５０…ポインタマーク、１５１…表示画像、
１５７…ポインタマーク軌跡、１６０…タッチペン、２００…表示装置、
２５０…ポインタマーク、２５１…表示画像、２５７…ポインタマーク軌跡、
２６０…ポインタ、３００…ネットワーク、４００…表示システム
【図１】
2014002241.tif 000003
【図２】
2014002241.tif 000004
【図３】
2014002241.tif 000005
【図４】
2014002241.tif 000006
【図５】
2014002241.tif 000007
【図６】
2014002241.tif 000008
【図７】
2014002241.tif 000009
【図８】
2014002241.tif 000010
【図９】
2014002241.tif 000011
【図１０】
2014002241.tif 000012
【図１１】
2014002241.tif 000013
【図１２】
2014002241.tif 000014
【図１３】
2014002241.tif 000015
【図１４】
2014002241.tif 000016
【図１５】
2014002241.tif 000017
【図１６】
2014002241.tif 000018
【図１７】
2014002241.tif 000019
【図１８】
2014002241.tif 000020
【図１９】
2014002241.tif 000021
【図２０】
2014002241.tif 000022
【図２１】
2014002241.tif 000023
【国際調査報告】
2014002241.tif 000024
2014002241.tif 000025
2014002241.tif 000026